(57)【要約】【課題】  携帯端末にて電子メールの作成や閲覧を行っているときに、他人に携帯端末の画面を見られて電子メールの文章内容を読まれてしまう状態を回避可能にする。【解決手段】  電子メールの文章を構成する各文字のうちの複数文字分を表示可能で且つ表示位置を移動可能な文字ウィンドウ部５３を有すると共に、当該文字ウィンドウ部５３を除く部分には電子メールの文章を構成する各文字の画像以外の所定画像が配されたウィンドウ画像（ブラインド画像）５２を生成し、電子メールの文章を構成する各文字のうち、文字ウィンドウ部の表示位置に対応した文字（例えば「午後７時」の各文字）を、その文字ウィンドウ部５３内に表示させた状態のウィンドウ画像５２を画面５０上に表示させる。【選択図】  図４
2005078260.tif 000002
【特許請求の範囲】
【請求項１】
画像を表示可能な画面を備えた表示手段と、
作成時若しくは送，受信時の電子メールのデータを取得する電子メール取得手段と、
上記電子メール取得手段が取得した電子メールの文章を構成する各文字を、上記表示手段の画面上に表示する際の各文字の配列及び各文字の表示位置を決定する文字配置決定手段と、
上記表示手段の画面内での表示位置を移動可能で且つ上記電子メール取得手段が取得した電子メールの文章を構成する各文字のうちの少なくとも１文字分の画像を内部に表示可能な文字ウィンドウ部を有すると共に、当該文字ウィンドウ部を除く部分には上記電子メールの文章を構成する各文字の画像以外の所定画像が配されるウィンドウ画像を生成するウィンドウ画像生成手段と、
上記文字配置決定手段が上記配列及び表示位置を決定した上記各文字のうち、上記ウィンドウ画像生成手段が生成したウィンドウ画像の文字ウィンドウ部の表示位置に対応した文字を、当該文字ウィンドウ部内に表示させた状態で、上記ウィンドウ画像を上記表示手段の画面上に表示させる制御を行う表示制御手段とを有する
ことを特徴とする携帯端末。
【請求項２】
請求項１記載の携帯端末であって、
上記文字配置決定手段により各文字の配列及び表示位置が決定された上記電子メールの文章画像を生成する文章画像生成手段を有し、
上記表示制御手段は、ユーザによる切り替え指示入力時若しくは予め設定された切り替え条件適合時に、上記表示手段の画面上で、上記文章画像生成手段が生成した電子メールの文章画像と、上記ウィンドウ画像生成手段が生成したウィンドウ画像とを切り替え表示させる制御を行うことを特徴とする携帯端末。
【請求項３】
請求項１記載の携帯端末であって、
上記ウィンドウ画像生成手段は、ユーザによる変更指示入力若しくは予め設定された大きさ変更設定情報に応じて、上記文字ウィンドウ部の表示大きさを変更する大きさ変更手段を備えることを特徴とする携帯端末。
【請求項４】
請求項１記載の携帯端末であって、
上記ウィンドウ画像生成手段は、ユーザによる移動指示入力若しくは予め設定された移動設定情報に応じて、上記文字ウィンドウ部の表示位置を移動制御する移動制御手段を備えることを特徴とする携帯端末。
【請求項５】
請求項１記載の携帯端末であって、
所定のネットワーク若しくは所定の外部記憶装置を介して、上記表示手段の画面上に表示可能な所定の情報を取得する情報取得手段を有し、
上記ウィンドウ画像生成手段は、上記情報取得手段が取得した所定の情報を、上記文字ウィンドウ部を除く上記所定画像の部分に配したウィンドウ画像を生成することを特徴とする携帯端末。
【発明の詳細な説明】
【技術分野】
【０００１】
本発明は、電子メールなどの各種のメッセージの作成、閲覧、送受信機能を備えた携帯端末に関する。
【背景技術】
【０００２】
近年は、携帯電話端末やＰＤＡ（Personal Digital Assistant）に代表される携帯端末が広く普及している。またそれら携帯端末は、電子メールの作成、閲覧、送受信機能を備えていることが多い。したがって、ユーザは、その携帯端末を用いることにより、例えば外出先や電車に乗っているときなどでも、電子メールの作成、閲覧、送受信を行える。
【０００３】
なお、電子メール等の情報データを伝送する機能を備えた従来の携帯端末の一例として、特許文献１に記載された情報通信端末が知られている。この特許文献１において、電子メール送信側の情報通信端末は、ユーザにより作成された電子メール本文を分割単位文字数毎に分割してブロック化した後に各ブロックの並べ替えを行い、その並べ替え処理後の電子メールデータを受信側の情報通信端末へ宛てて送信する。また当該送信される電子メールのヘッダには、ブロックの並べ替えを復元するための変換制御情報が付加される。一方、受信側情報通信端末は、その電子メールデータを受信した後、ユーザにより入力された変換制御情報とメールヘッダの変換制御情報とが一致したとき、当該入力された変換制御情報に基づいて上記ブロックの並べ替えの復元を行うようになされている。つまり、ユーザにより入力された変換制御情報とメールヘッダの変換制御情報とが一致しないとき、受信側情報通信端末の表示部上には、ブロックの並べ替えがなされたままの状態のメール本文が表示されることになる。したがって、変換制御情報を知らない第三者は、当該受信側情報通信端末をどのように操作しても、そのメールの内容を盗み見ることができない。
【０００４】
【特許文献１】特開２００２−３３４０４４号公報（第１２図）
【発明の開示】
【発明が解決しようとする課題】
【０００５】
ところで、例えば外出先や電車に乗っているときなどに、携帯端末にて電子メールの作成や閲覧を行っていると、他人に携帯端末の画面を見られ、その電子メールの文章内容を読まれてしまうことがある。つまり、携帯端末の正当な所有者であるユーザが、その携帯端末の画面上に電子メールを表示させている状態で、その画面を他人が盗み見た場合には、電子メールの内容を読まれてしまう。
【０００６】
本発明は、このような実情に鑑みて提案されたものであり、携帯端末にて電子メールの作成や閲覧を行っているときに、他人に携帯端末の画面を見られて電子メールの文章内容を読まれてしまう状態を回避できる携帯端末を提供することを目的とする。
【課題を解決するための手段】
【０００７】
本発明は、電子メールの文章を構成する各文字を画面上に表示する際の各文字の配列及び各文字の表示位置を決定し、画面内での表示位置を移動可能で且つ電子メールの文章を構成する各文字のうちの少なくとも１文字分の画像を表示可能な文字ウィンドウ部を有すると共にその文字ウィンドウ部を除く部分には電子メールの各文字の画像以外の所定画像が配されるウィンドウ画像を生成する。そして、文字配列及び各文字表示位置が決定された電子メールの各文字のうち、文字ウィンドウ部の表示位置に対応した文字をその文字ウィンドウ部内に表示させた状態のウィンドウ画像を画面上に表示させる。
【０００８】
本発明においては、電子メールの各文字のうち、文字ウィンドウ部の表示位置に対応した各文字をその文字ウィンドウ部内に表示させた状態のウィンドウ画像を、画面上に表示させる。したがって、電子メールの文章を構成する各文字のうちで画面上に表示されるのは、文字ウィンドウ部内に表示された文字のみとなり、残りの各文字は画面上に表示されない。また、本発明において、文字ウィンドウ部は画面上で移動可能に表示されるものとなされているため、例えば当該文字ウィンドウ部を移動させれば、電子メールの文章を構成する各文字が文字ウィンドウ部内に次々に表示されることになる。
【発明の効果】
【０００９】
本発明によれば、電子メールの文章を構成する各文字のうち画面上に表示されるのは、文字ウィンドウ部内に表示された文字のみとなされ、残りの各文字は画面上に表示されないため、他人がその画面を見ても電子メールの内容を理解できず、したがって他人に携帯端末の画面を見られて電子メールの文章内容を読まれてしまう状態を回避できる。また、本発明によれば、文字ウィンドウ部を例えば移動させて、電子メールの文章を構成する各文字を文字ウィンドウ部内に順次表示させることで、ユーザはその電子メールの内容を理解できる。
【発明を実施するための最良の形態】
【００１０】
以下、本発明の好ましい実施の形態について、図面を参照しながら説明する。
【００１１】
本実施形態では、本発明にかかる携帯端末の一例として携帯電話端末を挙げている。
【００１２】
本実施形態の携帯電話端末は、図１に示すように、第１の筐体１と、この第１の筐体１に対して折り重なるように二つ折り可能となされる第２の筐体２とを有した、いわゆる折り畳み型の携帯電話端末である。
【００１３】
第１の筐体１と第２の筐体２は、互いの一端側を連結部（ヒンジ部）３を介して互いに回動自在とされており、図１の開いた状態（以下、開状態とする）と図示しない折り畳んだ状態（以下、閉状態とする）とで使用される。すなわちこの折り畳み型の携帯電話端末は、例えば、電話をかけたりメールを送信する場合などには図１の開状態で使用され、充電時や電話をかけない場合には閉状態となされる。
【００１４】
第１の筐体１には、携帯電話端末の主要な回路構成が内蔵されている。また、この第１の筐体１の上面（第２の筐体２との対向面）には、図１に示すように、電話番号や電子メールの文字等を入力するためのキーや各種のファンクションキー等の複数のキー４とジョグダイヤル５などからなる操作部、送話用のマイクロホンを備えた送話部１０などが設けられている。なお、これら操作部や送話部１０は、第２の筐体２と重なり合う側に設けられている。一方、第２の筐体２には、液晶等からなるディスプレイ６、通話用スピーカ（受話用スピーカ）を備えた受話部９、外付けメモリ（外部記憶装置）を挿入するためのメモリスロット１１などが設けられている。なお、これらディスプレイ６や受話部９などは、第１の筐体１と重なり合う側に設けられている。
【００１５】
その他、図１では図示を省略しているが、本実施形態の携帯電話端末は、端末が開かれた状態（開状態）か、或いは折り畳まれた状態（閉状態）の何れの状態であるかを検出するための開閉検出センサも備えている。
【００１６】
図２には、上述した本実施形態の携帯電話端末の内部の回路構成を示している。なお、図２に示した各回路構成は、主要なもののみを挙げている。
【００１７】
図２において、アンテナ２２は、ホイップアンテナ或いは内蔵アンテナであり、信号電波の送受信を行う。通信部２３は、送受信信号の周波数変換、変調と復調、スペクトラム拡散と逆拡散、送受信されたデータが通話音声データかそれ以外のデータかの弁別等を行う。なお、通話音声データ以外のデータとは、画像データや電子メール、インターネット接続機能を利用してダウンロードした各種のデータ、各種プログラムデータ等である。上記受信された通話音声データ以外のデータ（パケットデータなど）は、データラインを介して、内部メモリであるメモリ２６に送られて格納される。
【００１８】
受信された通話音声データは、データラインを介して通話音声データ処理部３１へ送られる。通話音声データ処理部３１は、音声データを復号化し、その復号化後の音声データをデータラインを介して通話用スピーカ（受話用スピーカ）３３へ送る。通話用スピーカ３３は、ディジタル／アナログ変換器と増幅器を含み、音声データをディジタル／アナログ変換及び増幅した後、出力する。これにより、通話音声が得られることになる。一方、送話用のマイクロホン３４を介して入力された通話音声信号は、当該マイクロホン３４内に含まれるアナログ／ディジタル変換器によりディジタル音声データに変換され、データラインを介して通信部２３へ送られる。
【００１９】
表示部２４は、前記第２の筐体２等に設けられる例えば液晶ディスプレイパネル或いはＥＬ（electroluminescence ）ディスプレイパネルとその駆動回路からなり、画像や電子メールの文章などを画面上に表示可能となされている。また、詳細については後述するが、本実施形態の携帯電話端末の場合、電子メールの機能を利用している時に、当該表示部２４の画面上には図３〜図５の画面表示がなされる。
【００２０】
操作部２５は、前記第１の筐体１等に設けられている「０」〜「９」までのテンキー、電源キー、受話キー、画面カーソル操作用のキー、ファンクションキー等の複数のキー４やジョグダイヤル５等の各種の操作子を備える。ユーザの操作に応じて操作部２５が発生した操作信号は、制御部２１に送られる。
【００２１】
メモリ２６は、ＲＯＭ（Read Only Memory）やＲＡＭ（Random Access Memory）からなる。ＲＯＭは、制御部２１が各部を制御するための制御プログラムや各種の初期設定値、表示部２４への画面表示を行うためのプログラム、当該携帯電話端末の電話番号、フォントデータなどを記憶している。このＲＯＭは、ＥＥＰＲＯＭ（Electrically Erasable and Programmable Read Only Memory）のような書き換え可能なＲＯＭを含み、送受信される電子メールのデータ、ユーザにより設定される電話帳や電子メールアドレス、ダウンロードされた各種のデータ、その他ユーザ設定値等を保存することも可能となされている。ＲＡＭは、制御部２１が各種のデータ処理を行う際の作業領域や表示部２４に表示される画像データを一時的に蓄積する領域として用いられる。
【００２２】
時計部２７は、現在時刻の情報や時間のカウント情報等を生成する。
【００２３】
外部装置接続部３０は、外部メモリ（外付けメモリ）等の外部記憶装置４０と携帯電話端末とを接続するためのインターフェイスであり、図１のメモリスロット１１内に設けられている。本実施形態の携帯電話端末は、必要に応じて、電話帳や電子メールアドレス、電子メールデータ、メモ帳データ、インターネット接続機能を利用してダウンロードしたデータなど、様々なデータを、外部装置接続部３０を介して外部記憶装置４０へ送り、そこへ記憶させることも可能である。
【００２４】
音楽用スピーカ３２は、音楽データを再生したときの楽音や着信音等を出力するためのスピーカであり、通話用スピーカ３３と同様にディジタル／アナログ変換器と増幅器を含んでいる。
【００２５】
カメラ部３５は、光学レンズや撮像素子を含み、ディジタルカメラ機能を実現するための構成要素である。このカメラ部３５により撮影した写真データは、メモリ２６や外部記憶装置４０に記憶される。
【００２６】
制御部２１は、例えばＣＰＵ（中央処理装置）からなり、制御ラインを介して当該携帯電話端末の各構成要素の制御や各種の演算処理を行う。また、詳細については後述するが、制御部２１は、本実施形態の図３〜図５の画面表示のための各種演算処理や画像生成処理を行い、図３〜図５の画像を表示部２４に表示させる処理も行う。
【００２７】
その他、図示は省略しているが、本実施形態の携帯電話端末は、例えば地上波ディジタルテレビジョン放送等のテレビジョン放送信号を受信可能なテレビジョン受信部を備えていても良い。
【００２８】
ここで、本実施形態の携帯電話端末は、表示部２４の画面（ディスプレイ６の画面）上に電子メールの文章を表示する際に、例えば図３〜図５に示すような表示を行う機能を備えている。
【００２９】
図３は、表示部２４の画面５０上に電子メールの文章画像５１が表示されている通常の表示状態を示している。この図３の文章画像５１は、図２の制御部２１が、電子メールの文章を構成する各文字を表示部２４の画面５０上に表示する際の各文字の配列及び各文字の表示位置を決定することにより生成された画像である。なお、図３の画面５０に表示された電子メールは、作成中や作成完了後の電子メール、或いは受信した電子メールの何れであっても良い。この図３に示す通常の表示状態の場合、その画面５０に表示された電子メールの文章内容は、ユーザ本人のみならず、他人にも見えてしまうことになる。
【００３０】
そこで、本実施形態の携帯電話端末は、画面５０上に電子メールを表示する機能を実行しているときに、その画面５０を他人に見られたとしても、電子メールの文章内容を他人に理解されないようするために、例えば図４に示すようなウィンドウ画像５２を画面５０上に表示する。すなわち、制御部２１は、図３の画面５０の電子メールの文章画像５１に、図４のウィンドウ画像５２を例えば上書きする形で合成した画像を表示部２４に表示させる。言い換えると、図４に示すウィンドウ画像５２は、図３の電子メールの文章画像５１を見えなくするための黒色等のブラインド画像である。したがって、このウィンドウ画像５２が画面５０上に表示されているときには、電子メールの文章がどのような内容であるのかはわからないことになる。
【００３１】
また、当該ウィンドウ画像５２には、図３の電子メールの文章画像５１中の例えば数文字分を表示するための文字ウィンドウ部５３が設けられている。すなわち、本実施形態の図４の画面５０は、図３の電子メールの文章画像５１上に、例えば素通しの文字ウィンドウ部５３を有するウィンドウ画像５２を重ねた状態の画面に相当しており、文字ウィンドウ部５３内に表示される各文字は、図３の画面５０上に表示された状態の電子メールの文章画像５１の各文字のうちで、図４の画面５０上の文字ウィンドウ部５３の表示位置に相当した位置に配置される各文字となっている。そして、当該文字ウィンドウ部５３は、例えば、ユーザによる移動指示操作に応じて、若しくは自動的に、画面内５０を移動可能となされている。すなわち、制御部２１は、ユーザが操作部２５を操作することによる移動指示操作信号に基づいて、上記ウィンドウ画像５２内で文字ウィンドウ部５３を移動させる表示制御を行うと同時に、図３の画面５０の電子メールの文章画像５１についてはそのままの状態で、図４のウィンドウ画像５２を例えば上書きする形で合成した画像を表示部２４に表示させる制御を行う。したがって、当該図４の画面５０上で上記文字ウィンドウ部５３の位置を順次移動させた場合には、その文字ウィンドウ部５３を介して図３の電子メール文章画像５１の各文字が次々に見えていくことになる。具体的に説明すると、例えば図４の画面５０の状態から、文字ウィンドウ部５３を真上に１行分移動させたときには、その文字ウィンドウ部５３内に、図３の電子メール文章画像５１のうちの「今日の打」の各文字が表示されることになる。また、例えば、図４の画面５０の状態から文字ウィンドウ部５３を右に１文字分移動させたときには、当該文字ウィンドウ部５３内に、図３の電子メール文章画像５１のうちの「後７時に」の各文字が表示されることになり、さらにその状態から文字ウィンドウ部５３を右に１文字分移動させたときには、当該文字ウィンドウ部５３内に、図３の電子メール文章画像５１のうちの「７時に、」の各文字が表示されることになる。したがって、先ず最初に、上記文字ウィンドウ部５３を図３の電子メール文章画像５１の最上段の行の最左端に相当する位置に配置させた後、文字ウィンドウ部５３を順次右へ移動させて当該最上段の行の最右端に相当する位置まで移動させ、次に、図３の電子メール文章画像５１の２行目の最左端に相当する位置へ上記文字ウィンドウ部５３を移動させ、さらにその文字ウィンドウ部５３を順次右へ移動させるような文字ウィンドウ部５３の移動表示制御を繰り返せば、当該文字ウィンドウ部５３上には図３の電子メール文章画像５１の「今日の打ち合わせは午後７時に…」の各文字が順次表示されることになる。これにより、当該携帯電話端末のユーザは、図４の画面５０において、電子メールがどのような文章内容であるのかを知ることができるようになる。一方、この図４の画面５０の表示状態となされている携帯電話端末の画面を、例えば他人が短時間だけ盗み見たとしても、一部の文字しか盗み見ることができない、したがって、その盗み見を行った他人が、電子メールの文章内容全体を理解することは略々不可能である。
【００３２】
本実施形態の携帯電話端末は、図４のウィンドウ画像５２のようなブラインド画像に代えて、例えば図５の画面５０に示すように、文字ウィンドウ部５３以外の部分が図３の電子メールの文章画像５１とは全く関係のない文章等からなるダミー画像をウィンドウ画像５４として用いることもできる。この図５のウィンドウ画像５４の場合も、画面５０内には上述同様の文字ウィンドウ部５３が設けられる。この図５の例の場合も図４の例と同様に、当該図５の画面５０の表示状態となされている携帯電話端末の画面を、例えば他人が短時間だけ盗み見たとしても、その他人は電子メールの文章内容全体を理解することは略々不可能である。
【００３３】
なお、図３の画面５０の表示状態と図４や図５の画面５０の表示状態は、携帯電話端末に設けられている所定のキーをユーザが操作することにより切り替えられても良い。或いは、電子メールの文章を画面上に表示させる際には必ず図４や図５の画面５０になるように予め設定されていても良く、その後にユーザから表示切り替え操作の指示入力があったときに、図３の画面５０に切り替えられるようになされていても良い。すなわちこれらの場合、制御部２１は、所定のキーをユーザが操作したり、ユーザから表示切り替え操作指示がなされたことによる操作信号を操作部２５から受け取ると、画面５０の表示状態を切り替えるように表示制御する。また、本実施形態の携帯電話端末は、予め設定された切り替え条件適合時に、画面切り替えを行うものであっても良い。具体的に説明すると、例えば、受信電子メールの件名或いは送信電子メールの件名に応じて、図３の画面５０にするのか若しくは図４や図５の画面５０にするのかを、携帯電話端末が自動的に切り替えても良い。すなわち例えば、受信電子メールの件名の欄に「広告」等の文字が含まれている広告メールについては他人に見られても構わない旨のユーザ設定がなされている場合、制御部２１は、受信メールの件名の欄に「広告」の文字が含まれていることを検出したとき、自動的に図３の例のようにウィンドウ画像のない表示状態に切り替える表示制御を行う。また例えば、受信電子メールの送信元アドレス或いは送信電子メールの送信先アドレスに応じて、図３の画面５０にするのか若しくは図４や図５の画面５０にするのかを、携帯電話端末が自動的に切り替えても良い。すなわち例えば、携帯電話端末のメモリ２６内のアドレス帳に登録されている各アドレスについて、電子メールを他人に見られても構わないアドレスであるか、或いは電子メールを他人に見られたくないアドレスであるのかのユーザ設定がなされている場合、制御部２１は、受信電子メールの送信元アドレス或いは送信電子メールの送信先アドレスが上記の何れに設定されたアドレスであるのかを判定し、その判定結果に応じて、図３の画面５０か或いは図４や図５の画面５０への自動切り替え表示制御を行う。
【００３４】
文字ウィンドウ部５３に表示される文字数は、図４や図５の例のような４文字分に限定されず、例えば１文字であっても、或いは１行分の複数文字であっても良く、当該表示文字数はユーザの設定により任意の数に変更することも可能である。この場合、制御部２１は、ユーザによる大きさ変更指示入力、或いは、予めユーザにより設定された表示文字数値に応じて、文字ウィンドウ部５３の大きさを制御する。また、ユーザによる移動操作指示入力により上記文字ウィンドウ部５３が移動するように設定されている場合、当該ユーザによる移動操作指示入力は、例えば図１のジョグダイヤル５やその他のキーの操作によりなされても良いし、カーソル操作に連動していても良い。また、文字ウィンドウ部５３が自動的に移動するように設定されている場合、その移動速度や移動方向は、予め定められた一定移動速度や一定移動方向でも良いし、ユーザにより任意に設定可能となされていても良い。これら文字ウィンドウ部５３の移動表示制御も制御部２１が行う。また、文字ウィンドウ部５３に表示される文字数は、電子メールの文章内容に応じて変化させても良い。すなわち、制御部２１は、電子メールの文章内容を解析判定する機能を備え、文字ウィンドウ部５３内に多くの文字を表示してもその電子メールの文章内容が推測され難いと判定した場合には、上記文字ウィンドウ部５３の幅を自動的に大きくし、逆に、少ない文字数でもその電子メールの文章内容が推測され易いと判定した場合には、上記文字ウィンドウ部５３の幅を自動的に小さくするような表示制御を行う。なお、文字ウィンドウ部５３は、図３の電子メールの文章画像５１中の数文字分を表示するための機能を備えたカーソルであっても良い。その他、本実施形態において、文字ウィンドウ部５３に電子メールの各文字を表示するための手法は、上述したような図３の文章画像５１へウィンドウ画像を上書きする手法に限定されず、例えば、元の電子メールデータの中から、上記文字ウィンドウ部５３の表示位置に対応した画面上の位置に表示されるべき文字データを抽出し、その抽出した文字データから生成した文字画像を文字ウィンドウ部５３上に表示するような手法であっても良い。このような表示手法を採用した場合の画像表示制御も、制御部２１が行うことになる。
【００３５】
図４のウィンドウ画像５２であるブラインド画像は、黒色に限定されず、他の色や何らかのデザインを有する画像であっても良い。当該ブラインド画像は、携帯電話端末のメモリ２６或いは外部記憶装置４０等に予め用意されていても良いし、制御部２１が内部で演算により生成するものでも良い。
【００３６】
図５のウィンドウ画像５４であるダミー画像は、図３の電子メールの文章画像５１と関係ないものであれば、文章画像だけでなく、その他の画像や写真、テレビジョン画像を含む動画等であっても良い。また、ダミー画像は、当該携帯電話端末のメモリ２６或いは外部記憶装置４０等に予め用意されている画像だけでなく、例えば通信部２３を介したインターネット接続機能を利用してダウンロードした天気予報やニュース、広告などの各種の情報画像であっても良い。なお、上記天気予報やニュース等の情報画像をダミー画像として使用した場合、ユーザは、電子メールの文章内容を知ることと同時に、それら天気予報やニュース等のような有用な情報をも知ることができる。また、ダミー画像は、ユーザの指示に応じて更新されても良いし、予め定められた一定時間間隔で自動的に更新されても良い。なお、ダミー画像の自動更新の際の一定時間間隔は、ユーザが任意の時間間隔に設定することも可能である。またダミー画像の更新は、メモリ２６或いは外部記憶装置４０に予め保存されているデータからロードして更新しても良いし、各更新毎にインターネット上の所望のサイトからダウンロードして更新しても良い。これら更新の制御は、制御部２１が行う。携帯電話端末がインターネット接続機能を使用して接続するサイトのＵＲＬ（Uniform Resource Locator）は、ユーザが設定しても良いし、例えば基地局を介して所定のサイト情報提供装置等から自動的に送信されてきても良い。なお、サイト情報提供装置から基地局を介してＵＲＬの情報提供を受ける場合、当該サイト情報提供装置は、予めユーザから得られた情報に基づいて、当該ユーザがどのような情報の提供を受けたいのかを調査し、その調査結果に応じた情報を提供可能なサイトのＵＲＬを用意する。
【００３７】
その他、ウィンドウ画像は、図３の電子メールの表示画像に何らかのエフェクト処理を施して文章内容を理解できないようにしたものであっても良い。この場合のエフェクト処理は制御部２１にて行われる。また、ウィンドウ画像は、画面の全面に渡り表示されるものに限定されず、少なくとも電子メールの文章画像を覆う大きさの画像であれば良い。
【００３８】
以上説明したように、本実施形態によれば、電子メールを表示する機能を実行しているときに、ウィンドウ画像５２又は５４を画面５０上に表示することで、その画面５０を他人に見られたとしても、電子メールの文章内容を他人に理解されないようすることができる。一方、本実施形態によれば、図３の電子メールの文章画像５１中の数文字分を表示するための文字ウィンドウ部５３を、画面５０上で移動させることにより、当該携帯電話端末のユーザは、電子メールがどのような文章内容であるのかを知ることができる。したがって、ユーザは、外出先や電車に乗っているときなど、公共の場でのメール機能を使用する時でも、メールの文章内容を他人に読まれないようにでき、周りの目を気にすることなく安心してメール機能を使用でき、また、プライバシーを守ることができる。
【００３９】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。例えば、ウィンドウ画像により他人に見られなくする情報は、電子メールだけでなく、その他の各種メッセージや静止画像、動画像等でも良い。また、本実施形態の携帯端末は、携帯電話端末に限定されず、ＰＤＡ、ノート型パーソナルコンピュータ、通信機能を備えたディジタルテレビジョン受像機など、携帯可能で且つディスプレイを備えた各種の電子機器に適用可能である。
【図面の簡単な説明】
【００４０】
【図１】本発明実施形態の折り畳み型携帯電話端末を開いた状態の外観斜視図である。
【図２】本実施形態の携帯電話端末の内部構成を示すブロック図である。
【図３】電子メールの文章が表示された画面例を示す図である。
【図４】ブラインド画像としてのウィンドウ画像と文字ウィンドウ部が表示された画面例を示す図である。
【図５】ダミー画像としてのウィンドウ画像と文字ウィンドウ部が表示された画面例を示す図である。
【符号の説明】
【００４１】
１…第１の筐体、２…第２の筐体、３…連結部、４…キー、５…ジョグダイヤル、６…ディスプレイ、９…受話部、１０…送話部、１１…メモリスロット、２１…制御部、２２…アンテナ、２３…通信部、２４…表示部、２５…操作部、２６…メモリ、２７…時計部、３０…外部装置接続部、３１…通話音声データ処理部、３２…音楽用スピーカ、３３…通話用スピーカ、３４…マイクロホン、３５…カメラ部、４０…外部記憶装置、５０…画面、５１…電子メールの文章画像、５２，５４…ウィンドウ画像、５３…文字ウィンドウ部
【図１】
2005078260.tif 000003
【図２】
2005078260.tif 000004
【図３】
2005078260.tif 000005
【図４】
2005078260.tif 000006
【図５】
2005078260.tif 000007